(57)【要約】      （修正有）【課題】更に多く弾力使用性及び利便性を提供する、ユーザーの需要によって、異なる操作方式を提供する、新しい心血管検測装置の提供。【解決手段】一種心血管検測装置です、第一ハウジング及び第二ハウジングを含み、少なくともプロセッサの電気回路があり、血圧測定及び心電図測定機能を提供、また、第一ハウジング及び第二ハウジングを分散し、第一単元及び第二単元を形成する、第一ハウジングにカフを接続、血圧測定期間にユーザーの腕に巻き続、少なくとも二電極があり、中の一つは乾式電極に構造され、また、第二ハウジングの表面に設置、ユーザーが第二ハウジングを持つ手に接触、その中、プロセッサは血圧測定の感知及び心電図測定の起動に建設され、測定結果によって同装置は異なる操作モードに入り、更に同プロセッサは血圧測定機能が起動される時、拡張期血圧及び収縮期血圧を提供、また、同心電図測定機能が起動される時、心律情報を提供することに建設される。【選択図】図．１
2014039800.tif 000002
【特許請求の範囲】
【請求項１】
心血管検測装置であって、
第一ハウジング及び第二ハウジングと、
プロセッサを含む電気回路、第一ハウジング及び第二ハウジングの中に分散しています、そうすると第一単元及び第二単元を形成すると、
カフ、第一ハウジングからを連結する、血圧測定の時に使用者の肢体を縛ってすると、
少なくとも二つ電極、その内に少なくとも電極は乾式電極、又その第二ハウジングの表面を設置する、そして使用者は第二ハウジングを持つ手に接触、を含み、
そのうち、
前記プロセッサは血圧測定及び心電図測定の起動を感知する、測定結果によって同装置は異なる操作モードに入り、且つ、
前記プロセッサは血圧測定機能が起動される時、拡張期血圧及び収縮期血圧を提供する、また、心電図測定機能が起動される時、心律情報を提供することを特徴とする、心血管検測装置。
【請求項２】
前記心律情報は平均心率及び不整脈の指示少なくとも１つであるが含まれて、且つ、前記プロセッサは心電図測定機能が起動される時、ＳＴ値、ＱＲＳ、ＰＲ、ＱＴｃ、及びＨＲＶ関係するパラメーターを提供する少なくとも１つであることを特徴とする、請求項１に記載の心血管検測装置。
【請求項３】
前記プロセッサは包括前記第一単元の中でそして前記第二単元からもらえるのデータを起動する、または、前記プロセッサは包括前記第二単元の中でそして前記第一単元からもらえるのデータを起動する、及び、前記第一単元及び前記第二単元は無線あるいは有線の連結に、その中に、前記第一単元及び前記第二単元の間の有線の連結が一組のコネクタを介して分離可能である、及び、前記コネクタはさらにデータの輸出を執行するなることが出来ることを特徴とする、請求項１に記載の心血管検測装置。
【請求項４】
心血管検測装置であって、
第一ハウジング及び第二ハウジングと、
血圧測定及び心電図測定の機能を提供すること回路、そして、第一ハウジング及び第二ハウジングの中に分散しています、そうすると一つ第一単元及び第二単元を形成すると、
カフ、第一ハウジングからを連結する、血圧測定の時に使用者の肢体を縛ってすると、
少なくとも二つ電極、その内に少なくとも電極は乾性式の電極、又その第二ハウジングの表面を設置する、そして使用者は第二ハウジングを持つ手に接触と、
外部単元、第一単元及び第二単元が通信する、を含み、
そのうち、
前記外部単元が使用者は血圧測定及び心電図測定の機能選択を動作する、選択の結果によって、装置は異なる操作モードに入り、且つ、
前記心血管検測装置の中にはプレインストールされたプログラムは提供する、血圧測定機能が起動される時、拡張期血圧及び収縮期血圧を提供する、及び心電図測定が起動される時、心律資料を提供することを特徴とする、心血管検測装置。
【請求項５】
前記外部単元はアルゴリズムを含み、前記外部単元と前記第一単元及び前記第二単元の間に同期する、及び、前記外部単元は前記第一単元、前記第二単元、または前記第一単元及び前記第二単元無線あるいは有線の連結にことを特徴とする、請求項４に記載の心血管検測装置。
【発明の詳細な説明】
【技術分野】
【０００１】  本発明は血圧及び心電図信号の測定機能に関するの心血管検測装置である、特に、ユーザーの需要によって、異なる操作方式を提供するの心血管検測装置。
【背景技術】
【０００２】  現代人は益々自身の健康を重視し、特に心血管の健康である、血圧計は日常生活の中で最も使用されている心血管健康を検測する装置の一つ、利便性があること、高血圧も各種の慢性病の危険因子での一つ、例えば、心臓病及び糖尿病。【０００３】  最近、ユーザーの需要及び技術的の発展で、血圧計の機能が大きく改善され、血圧を測る以外、血圧計も更に多く心血管システムの情報を提供すること、例えば、平均心率及び不規則な心脈の指示、但し、血圧計は動脈脈を基礎として、不規則心脈の検測機能を提供するので、単なる参考指示が見られる。【０００４】  不整脈は心率問題でよく出た問題中の一つ、その症候は心率の速度あるいはセクションの律が非常に速く、あるいは非常に遅い、あるいは不規則さが現われる、ある心律不完全で急に心臟が止まったり、生命安全に脅威されること、他に心脈不正常眼覚めなど症状をもたらす、それは気持ちが悪くなるだけ、生まれつき及び心臓病を除き、糖尿病や高血圧など体の状況で、また、プレシャー、カフェイン、喫煙、アルコールなどで心臓の正常脈が影響され、心律不完全にもたらすこと、ですから心率不完全は心臓に関わるだけでなく、心血管及び体の症状にも関わること、更に要注意するのは、不整脈を診断する最正確方法には心電図検測であること。【０００５】  上記のことによって、あることが分かった、心血管健康を討論する際、血圧以外、心電図にも考慮すべき、ですから、ある装置は同時に二つ機能が提供できれば、血圧を測定及び心電図を測定すること、こうすると心血管検測にとって、重大な改善することが言える、医者を診断する時にこの二種類のデータを収集するは最も重要な事を言う及び長時間に心血健康を追い続きの為に、非常に実用のこと。
【発明の開示】
【発明が解決しようとする課題】
【０００６】  上述に鑑みて、本発明の主な目的は、それに血圧及び心電図を測ることが提供する、心血管検測装置を提供することにある。【０００７】  本発明の別の目的は、分散な電気回路及び構造設計によって、ユーザーに血圧／心電図を測る選択が提供する、心血管検測装置を提供することにある。
【課題を解決するための手段】
【０００８】  更に多く弾力使用性及び利便性を提供するため、本発明の内に心血管検測装置に付き血圧測定及び心電図測定機能には分散式設計を採用すること、第一ハウジング及び第二ハウジングを含み、少なくともプロセッサの電気回路があり、血圧測定及び心電図測定機能を提供、また、第一ハウジング及び第二ハウジングを分散し、第一単元及び第二単元を形成する、第一ハウジングにカフを接続、血圧測定期間にユーザーの腕に巻き続、少なくとも二電極があり、中の一つは乾式電極に構造され、また、第二ハウジングの表面に設置、ユーザーが第二ハウジングを持つ手に接触、その中、プロセッサは血圧測定の感知及び心電図測定の起動に建設され、測定結果によって同装置は異なる操作モードに入り、更に同プロセッサは血圧測定機能が起動される時、拡張期血圧及び収縮期血圧を提供、また、同心電図測定機能が起動される時、心律情報を提供することに建設される。【０００９】  好ましくは、心律の情報を含めるが、限らないしかない、平均心率及び／あるいは不整脈の指示、及びほかできるから獲得するの心電図発展するそして得るの心律情報、他に、圧及び心律情報以外、プロセッサはさらに心電図が測定して起動された時に、ＳＴ値、ＱＲＳ、ＰＲ、ＱＴｃを提供することが出来る、及びＨＲＶ関係するパラメータの参考数字少なくともその中の一つ。【００１０】  本発明は心血管検測装置が分散式を構って設計する、プロセッサは第一単元及び／あるいは第二単元の中にあることが出来る、しかもプロセッサ所在の位置によって、電気回路の配置も変化することは出来ます、それに、二個の単元は無線あるいは有線の連結に実施することが出来る、それゆえに、心血管検測装置が二個の単元を構ったサブスタンス構造を設計して、そして相互に作用する時に、このインベンションは実際的な需要にぴったり合う使用を提供することが出来る自由で、及びそれゆえにできる改善使用な便利性。【００１１】  べき第一及びべき第二単元の間の電気性連結は一のタイライン、あるいは一組のコネクタそして達成する、或いは単式全体の機械に形成するななる又結合することが出来る、特にです、コネクタはさらに一のデータの輸出を執行するなることが出来る、例えば、一個の単元から外のほかのデバイスまで、コンピューターをダウンロードする、或いは、交替する、プロシージャをダウンロードは送信ポートから第一単元までに伝送する及び／あるいは第二単元はデータをダウンロードする。【００１２】  いかに二個単元の間は有線あるいは無線の連結時に、二種類の状况はキットが分かち合った概念が全部適用する、コストを節約する、単元のサブスタンスサイズも減る、挙例して、無線が接続した状況の下に［で］、二個の単元は分かち合うことが出来ると言う、例えば、ディスプレイ装置及び操作のインターフェイス、及び有線の連結の状況の下に［で］、もっとたくさんのキットを分かち合うことが出来る、例えば、フィルター、アンプ、及び電源、この拠る、実施することが出来る、信号を獲得する後に一つの単元の中で内蔵のメモリに記憶するあるいはこのメモリは解除することが出来る、再びに有線あるいは無線のモードにほかの単元を伝送する、さら一歩トランザクションをやる、例��ば、計算、分析、及び／あるいは表示する、制限していない。【００１３】  本発明の別の方面の作意の中に［で］、さらに、本発明の心血管検査の装置はさらに含めることが出来る、べき当の第一及び当の第二単元をコミュニケーションの一外部の単元は出来ること、この状況の下に［で］、外部の単元は血圧の測定及び心電図測定機能が使用者は機能選択することを提供する、、さらに依拠するたら選択結果はそして装置を触発して異なっている操作モードに入る、ここで、外部の単元は実施することが出来る無線あるいは有線の二点の単元を接続する、或いは無線あるいは有線の一点単元を接続、そしてこの単元再びに他の一単元は有線だあるいは無線が接続する、制限していない、それに、他にも使用者を提供できることは記憶と呼び出す／血圧の測定及び心電図測定の操作インターフェイス以外に、外部の単元もできる実施するに執行するとべき第一及び当の第二単元の進行同時に操作する、及びさら一歩に相関の計算及び分析のアルゴリズムを提供する事出来る、それゆえに、外部の単元が余分の機能にも提供する事出来る又心血管検査の装置内に導入するの可能性ある、外部の単元は何を言えば、挙例して言うが、限られない、一の知恵型の携帯電話、一のＰＤＡ、一のラップトップ・コンピュータ、あるいは一のデスクトップのコンピューター。【００１４】  本発明が二つの単元式のデザインは独立のモードで執行して個別的に測定したの可能性を提供する、たらわりによいインプリメンテーション例の中で、割り引きの単元とその上に設置するの電極がユーザに心電図を執行して測定する時に握って持つことが独立のハウジングを提供する出来た、でさらにたらわりによいインプリメンテーション例の中で、無線のデザインあるいは可分離式の電気性が接続してユーザに提供して身に付けて携帯することが出来たのたら携帯式単元は、それでなくでまったく仕掛ける、で何度もたらわりによいインプリメンテーション例の中で、電気回路の分散は配置して即ちユーザをさせて実際的な使用状況を依拠することが出来て選択する及び起動する需要するのファンクション。【００１５】  によるこれは、根拠本発明の心血管検測装置は習慣に知るの分散式の設計は異なっているを提供した、その中使用の交代性を増加する、さらにユーザの操作の便利性を改善して、それに、通して分散式のデザイン及びキットの分かち合いの概念にことを知る、ばかりでなくコストは節約を獲得することが出来る、単元の実際的なサイズも小さくされることが出来る、そうするするもっと相応するのは携帯して、そして握って使用を持つ
【発明を実施するための最良の形態】
【００１６】  以下、例として挙げる本発明の最良の実施例と図面に基づき、本発明についてより詳細に説明し、更なる理解を促す。【００１７】  本発明は心血管相関の検測装置です、血圧及び心電図の測定機能を提供する以外に又操作モード変更仕様の機能を提供する事が出来ます及び実体が可分離式の構造を設計する、そうすると、使用者自分に操作モードを選択する唯血圧測定を遣る、唯心電図測定を遣る、両方は同時に測定を遣る、そして、電気回路が数個単元の内に分散を設置する、使用者が検測装置の項目中に適当の一つ項目を選択することが出来ます、検測装置内に総ての項目を同時使用するの事は不必要です、其れから、使用の複雑性は減るし、動作する時に実際の体積も小さいし。【００１８】  図１ご参考する、その中の説明とおりインベンションの内に血圧及び心電図測定機能付きの心血管検測装置の電気回路図、その表示、心血管検測装置は包括電気回路１０、カフ１２、パンプ１３、エアバルブ１４、圧力変換器１５、及び少なくとも二つ電極１６、その中、電気回路１０は包括血圧測定ために及び心電図測定ためにの電気回路、そして二つ回路はわけて設置する、又分ける回路は二つのハウジングを設置する、そうすると二つ単元を成る、第一電気回路部分１０１が第一ハウジング３０の内に置いとく、第二電気回路部分１０２が第二ハウジング４０の内に置いとく、ここから、理解できるのは、電気回路が分けるの方法は制限ありません、需要の異変性を選択する、挙例を言うと、第一部分の中に包括血圧測定の電気回路を載っている、そして第二部分の中に包括心電図測定のの電気回路を載っている、或いは、電気回路位置は特定の目的を設置するの制限ありません、又或いは、電気回路がさらに可特別指定設置するよって毎一の単元設計の機能を指定する。【００１９】  他にも、電気回路が血圧測定及び心電図測定を執行するために、測定を進行するを遣るとって基本相関の電気回路が自然的にその中を包括する、例の、プロセッサ及び測定を制御するためのプレインストールされたプログラム（ｐｒｅｌｏａｄｅｄ  ｐｒｏｇｒａｍ）、少なくとも一つＡ／Ｄ（アナログ／デジタル）転換器、デジタル化の信号を受けることが出来ます、及び他に通常使用の電子部品、例の、フィルター、アンプ、ディスプレイ装置、及び電源など、因みに本領域の内容が通常知識者と言えば、常識ですから、それゆえにもう贅言しないです。【００２０】  更にその装置は又一つある包括記憶体、信号貯まるを遣る、分析結果及び／或いは相関の資料、よって設計上の異変性を不相同です、記憶体が第一単元の中に及び／或いは第二単元の中に設置する、更にいいのは、その記憶体が交換式（取り出す、入りこみ）はできる、その中に地貯めるの資料を輸出ために、取り出す、入りこみ形式の記憶体が良いの便利性ために選択する、挙例を言えば、その中に一個単元の取り出す記憶体が他一つ単元を交替するとこが出来ます、及び／或いは交換式の記憶体内に貯めっているの測定資料／分析結果そしてをそのままに持って往って医者を診断する、交換式の記憶体が別に一つ機能、資料を貯める場合に有線式の連結することもできます、（例の、少なくとも一つ転送ポート）、或いは外部装置までに無線式連結するを輸出する（例にコンピューター）或いは他の単元。【００２１】  その内に、特に注意するのは、第一単元及び第二単元の間に交流方法は有線或いは無線するの方法が出来ます、挙例を言えば、二項単元が有線の連結方法を交流することが出来ます、例の、連結線或は可分離式のコネクタ、或は、二個単元の間にさら一歩は無線のモジュール利用するとって交流ことが出来ます、施設の方法は無制限、需要の異変性を変わる。【００２２】  本発明の内に、心電図の測定が経由使用者の各部位の皮膚を接触するとって達成する、最高の便利方法は、電極が装置の表面位置を設置するよって乾式電極を形成する、ここで、設置するの乾式電極の表面が使用者全面的接触面を設置するとこが出来ます、例のハウジング３０，４０の表面及びカフ１２の表面、使用者を提供することが出来ますよって非侵入式の心電図測定方法を達成する、例の、握持ち経由、加圧力、或はハウジングを抵頂点する、或は表面接触する、もし乾式電極を使用するときに使用者が媒介品を不必要、例の、導電クリームの状況に、唯直接乾式電極を接触するよって心電図の測定を達成する、そうすると、測定の時間は無制限、そして、乾式電極の障害は不容易し、又保養も容易し、そうすると、電極を交換の不便の問題もありません、そこで一つ或は二つの乾式電極を設置するが制限なし。【００２３】  一つ良いの実施例の中で、二個電極が全て乾式電極を設置する、そして、動作方式よって電極の位置を変化する、挙例を言う、使用者が唯１つ手はハウジングを握してそして接触位置で表面上の１つ電極、又同時にハウジングを移動するとって他一つ電極が身体表面別の部位を接触する、例の、他の一つ肢体、他の一つ手、脚、或は胸など、或は使用者が同時に両手をハウジングの上に接触する、或は二個ハウジングの上に各別の二個電極、或は使用者が１つ手をハウジングの上に一個電極、他の一つ手が上に縛っているの他電極を接触する、他の一つ良いの実施例の中で、唯一個電極は乾式電極を施設する、他の一つ別種類の電極を施設する、例の、貼り式電極、或はコプ式電極、その状況の下に、挙例を言う、使用者が貼り式電極は胸を接触する、又同時に乾式電極は手を接触する、そうすると、全然制限なし。【００２４】  それ以外、電極１６の数量及び機能も無制限、挙例を言う、二個以上の電極も出来る、更に多いの心臓相関資料を獲とるため、或は、使用者が自身決めるの電極式を設計するもできます、例の、縛るテープの表面で電極を設置する場合に、使用者が自身の選択によって唯血圧測定時に特定するの電極を使用する。【００２５】  カフ１２施設するを血圧測定執行するのため、挙例を言う、第一ハウジング３０及び／或は第二ハウジング４０（例の図３、図５、図７の示す）を組合、或は１つ連結線経由する１つ単元までに連結する（例の図２及び図４の示す）、汎用市場見易いの血圧計、カフが腕、上腕、或は他の位置巻き続きを動作する。【００２６】  本発明の心電図測定装置が包括ディスプレイ装置１８、結果を表示する及び相関の資料、及び入力する為に操作のインターフェイス、
ここでディスプレイ装置及び操作のインターフェイスがとって需要の異変通りで異変を設置する、挙例を言う、ディスプレイ装置及び／或は操作のインターフェイスが唯第一単元の中に設置する、唯第二単元の中に設置する、或は二個単元の中に全て設置する、制限なし、或は、交替なる、ディスプレイ装置及び操作のインターフェイスも位置分けてで独立の単元の上で設置する、例の、第一単元及び／或は第二単元の１つ外部単元から有線連結或は無線連結する。【００２７】  本発明の中で、重要の点が、位置不相同の単元の内に部品は共用出来る、挙例を言う、ディスプレイ装置、操作のインターフェイス或は他基本的の電気回路、そうすると、製造単価減るし、又実際の体面積寸法も減るし、そして、体面積寸法の減るの所為、心電図測定時に握り持つ方式も有利なる。【００２８】  続きする、本発明の中で二個単元を使う、又二個単元の中の電気回路のは包括１つ或は数個プロセッサを分散する、挙例を言う、唯一個のプロセッサがその中の一個単元で設置する、二個プロセッサが分けで二個単元の中に設置する、或は一個単元の中に二個以上のプロセッサを設置する、その中、全ての単元の中にプロセッサを全面設置する場合に二個単元の間にお互い交流することが出来ます、そして、分散の電気回路対で制限なし、又電気回路中で包括のコンポーネント数量も制限なし。【００２９】  本発明のふたつ単元設計が、操作時に、使用者が自身真実の要求を選択する、唯血圧測定を起動する、唯心電図測定を起動する、或は両方同時に起動する、それ以外に、電気回路は二個ハウジングの中に分散を設置する、そして、全てのコンポーネントの使用かどうかどんなファンクションをによって決まって起動されるはずだ、それでなくコンポーネントは体の中でどちら殻にある。【００３０】  デバイスどんな（いくらか）ファンクションを依拠して起動される、いかに単独で起動するのだあるいは同時に起動する、そして異なっている操作モードに入る、挙例して言う、もしただ血圧測定ファンクション起動される、によって血圧の測定に入ってモードを操作する、プロセッサ利用する需要するのコンポーネント血圧の測定を執行する、いかにコンポーネントが要るのがその単元にあっているものだ、似ているアース、心電図測定ファンクションのシーツただ起動する時に、デバイスできる心電図に入って測定してモードを操作する、しかもプロセッサただこの関係するコンポーネントと利用する、次いで、もし二つのファンクションはすべて起動される、しかしデバイスは入って測定する二種類の操作のモードを行うことができる。【００３１】  ここでは、分離性ことが出来るため、それゆえに、上述の操作モード以外のに、根拠本発明の心血管検測装置がほかの選択も提供する語とが出来る、挙例を言う、その中の一種操作のモードを遣る、二個の単元はすべて開かれるが、但し測定を執行しない、そしてプロセッサがほかの単元の中のメモリによってデータを獲得する、或いは、交替を成る、別に一種操作のモードも出来る、少なくとも一個の単元が開かれてするデータを送るまで１つの外部デバイス、例えば、一のコンピューター、それゆえに、ユーザは自由的に相応しいの操作モードを選択することが出来る、制��されていない。【００３２】  上述ような、分析の結果提供するために、本発明の心血管検測装置の内にプレインストールされたプログラムを載せている、そしてその中で包括獲とる信号の数種類のアルゴリズムを対応することが出来る、ここで、本発明のデバイスが血圧及び心電図の測定よって両方提供することが出来るから、それゆえに、単独式の血圧計デバイスあるいは単独式の心電図デバイスと比べて、更にたくさんのアナリシスの選択することが出来上がる、基本の上で、アルゴリズムは三類を分けることが出来る、一種は関係するの血圧測定、例えば、しかし制限なし、拡張期血圧、収縮期血圧、、及び心率、一種は関係しての心電図測定する、例えば、しかし制限なし、心率、不整脈、ＳＴ値、ＱＲＳ、ＰＲ、ＱＴｃ、及び関係するのＨＲＶ（心率の変異）のパラメータで、包括時間領域の統計のパラメータ（ｔｉｍｅ  ｄｏｍａｉｎ  ｓｔａｔｉｓｔｉｃａｌ  ｐａｒａｍｅｔｅｒｓ）、例えば、ＳＤＮＮ、ＲＭＳＳＤ、ＮＮ  ５０、及びｐＮＮ  ５０、時間領域の幾何のパラメータ（ｔｉｍｅ  ｄｏｍａｉｎ  ｇｅｏｍｅｔｒｉｃａｌ  ｐａｒａｍｅｔｅｒｓ）、例えば、ＲＲ  三角関数（ＲＲ  ｔｒｉａｎｇｕｌａｒ  ｉｎｄｅｘ）、及びＴＩＮＮ、及び周波数領域のパラメータ（ｆｒｅｑｕｅｎｃｙ  ｄｏｍａｉｎ  ｐａｒａｍｅｔｅｒｓ）、例えば、ＬＦ、ＨＦ、及びＬＦ／ＨＦは、再び一種両者で関係する、挙例を言う、制限なし、雑信号の干渉を解除する及びＰＴＴ。（脈波転送の時間、脈波が一段の動脈の中で伝送するよって通過まで必要の時間）。【００３３】  習慣に知るの血圧計と最大の差別のは、根拠本発明の装置は心電図の方から獲とるの資料を提供することが出来る、例の、心律相関の資料、例、平均心率、不整脈の示す、及び、その他に心電図の波形分析の方から獲とるの資料、例、心筋梗塞相関のＳＴ値。【００３４】  そして、使用者が多い種類の結果を獲とるすることが出来る以外に、他の程度の上に、獲とるの結果は更に正解、例の心縛不正の示す及び不整脈の示す、所外、血圧及び心電図のお互いに関連性あるから、そして、二種類の信号の間にお互い相関参考する、他の生理信号状况資料を獲取るすることが出来る、例の、脈波転送の時間、及び、動脈の脈縛とＥＣＧの間に雑信号影響を消すの有利の方法。【００３５】  異なっているの操作モードに対応する、使用者は異なっていアルゴリズムを選択する、異なっている分析／計算結果を獲得することが出来る、或は異なっている連続動作を選択する、挙例を言う、血圧測定は執行する時に、恐らくアルゴリズムが拡張期血圧、収縮期血圧なることことが事実、及び心率、心電図測定を執行する時に、恐らくアルゴリズムが不整脈、心率、ＳＴ値、ＱＲＳ、ＰＲ、ＱＴｃ、及び関係するＨＲＶのパラメータを成ることが出来るで、、及び二種類の測定が一緒に執行する時に、上述のアルゴリズムとＰＴＴは全て利用することが出来る、或いは、交替を遣る、心電図測定を執行するが決定する時に、ユーザはさらに今の状況の下で選択することが出来る、使用者は便利ためにロケーションを選択するよって電極を接触する、例えば、ハウジングの上にの電極を使用して亦使用してカフ上にの電極を使えない、或いは、交替を遣る、上���の言う、ユーザも測定を執行しないの選択することが出来る、そして、挙例を言、他の一つ単元から獲取るの資料を存放する、或は一つコンピューターまでにデータを輸出する、制限していない。【００３６】  ここで、更に要注意するのは、いわゆる的の二種類の測定はすべて代表するのは、二種類測定するでたら特定の時間期間以内に起動される、そうすると、二種類の測定は同時間始めているが不必要です、本発明にとって、時間期間はが０分から１０分までの間に介することが出来る、そして、二種類の測定は互いに重なるか重ならないかことが出来る、この時間期間の間でもっと合理的なユーザ平均の生理の状況を提供することが出来る。【００３７】  続きするのは、もっと詳しいインプリメンテーション例を述べる、しかしな、当然可理解的のは、例を実施は唯挙例説明を使う、それでなくで制限を遣る、このエリアは普通の知識者でインプリメンテーション例の進行について修飾することが出来る或は変化して本発明を離れないのカテゴリ。【００３８】  まさにようで図２まで図７示す、根拠本発明の心血管検測装置の第一単元及び第二単元を構って異なっている配置するは、形状、及び連結のモードは、異なっている使用目的に達成する、電気回路のデザイン、及び便利な性を操作して、何の制限もない。【００３９】  図２の示すでインプリメンテーション例の中で、第一単元／ハウジング３０インプリメンテーションに単独で血圧測定を執行することが出来る、第一単元３０の表面の上で電極１６を設置する事がある、それゆえに、よって第二単元４０までに電気を接続する、べき第一ハウジング３０上にの電極１６設置することある及び第二単元４０上のの電極１６設置することある一緒に運転することが出来る、で心電計の測定に達成する、この配置特別に相応しいで二匹の手で同時に二つの単元のモードをしっかりと握って測定が心電計を執行する、或いは、交替を遣る、ユーザの選択を通す、心電計測定するも利用することが出来る当の第二単元の上の電極はそして執行する、或いは、交替を遣る、べき第一ハウジング３０表面上に電極１６も実施することが出来てとべき第一ハウジングにあるためにお互いに結合するのカフ１２の表面（明らかに示していない）は、電極は必ず可接触するの表面の上に設置することが遣る、制限ありません、他に、第一単元の上のディスプレイ装置１８使って測定の結果及び関係する情報を明らかに示すことが出来る。【００４０】  他の一つインプリメンテーションは例に、図３の中で表示するは、第二単元／ハウジング４０が被施設使うことを出来るでその表面の上に電極１６は心電図測定を単独執行する、例えば、使用者の異なっている部位の皮膚別々に異なっている電極１６を接触して、そしてディスプレイ装置１８を利用するとって来るプロシージャを測量するとの示す／結果、しかも、第一単元／ハウジング３０施設ため、挙例を言う、よって起動ボタン５０を押すときで単独血圧測定を執行する、そして結果をセーブする、次いで、第二単元／ハウジング４０連結後に、その第一単元中で保存するの血圧測定の結果がよって第二単元の上のディスプレイ装置１８表示部ことが出来る、このインプリメンテーション例の中で、第二単元の上にすべての電極置くの優点は、ユーザは直接に一つ単独分離の単元を持ちことが出来る、握る持つは操作を遣る、これより非握る持つは操作を遣る式が更に便利する、体積もわりに小さい。【００４１】  それゆえに、上述のインプリメンテーション例によって、本発明血圧及び心電図測定の電気回路を二つのハウジングの中に分散するが新しい概念を提供する、二つの単元のデザインはかりでなく握る持つために持提供の便利性の操作を提供することが出来ます、又部品を共用性するの原因、実際的なサイズ及びコストを下げる可能性を提供する。【００４２】  特に良いのは、第一単元及びべき第二単元の間に有線の連結実施するが分離することが出来る、例えば、可分離のコネクタを通す、それゆえに、使用者が単独の単元を操作するの思うときに他の一つ単元は可分離することが出来る、如で第３図の中で示すの例は、もし第二単元が変化できるとって第一単からを分離する、然し使用便利性の上に更に進化することが出来る、そして、この可分離の特性、更に良いのは、連結ポートを使用しての状況にデータを輸出するのことは達成する、挙例を言う、単元のから外部のほかのデバイスまでに輸出する、例えば、一のコンピューター、のプロシージャをダウンロードする。【００４３】  別にインプリメンテーション例の内で、図４の中で示す、第一単元３０とカフは結合するそして血圧測定を単独執行することが出来る、第二単元４０表面的上で電極１６が持つことがある、よって血圧測定を単独執行することが出来る、心電図の測定がハウジングを握る持つの手は電源キー６０を押する通すそして測定を始める、さえ、電極のその中の一つは直接にキー上に設置することが出来る、このような、ユーザは電源キー６０を押す以後に測定を始める時には容易的と電極を接触することが出来る、簡単に電極を接触する、測定以後に、第二単元の中で心電図の資料を存放する／第一単元３０のディスプレイ装置１８で結果を示すことが出来る、第４図のインプリメンテーション例の中に、第一単元３０設計されてあるは第二単元３２の穴を受け取るために、ものだ、二個の単元はお互いに電気信号の連結がばかりでなく、機構の上でも結合してまる一の体に形成することが出来る、結合のタイプが、挙例を言う、お互いに引っ掛ける、滑々しているしゃくり、或はは挿し込むタイプは、制限していない。【００４４】  一個亦一個のインプリメンテーション例の中に、図５の中で示す、第一単元／ハウジング３０（血圧測定）及びハウジング４０（心電計測定）インプリメンテーションに互いに無線連結する、そうすると、全ての単元の中です皆包括１つプロセッサを乗っている、この状況の下に、二個単元の間にコミュニケーションすればたくさんの選択があることが出来る、挙例を言う、それが実施することが出来ると言うに当の第一単元のコントロール当の両者の間で達成が交流した時に第二単元の操作、又は第二単元できるある第一単元とお互いに交流しない時単独で心電計の測定を執行する、データについてセーブする、結果を示す、及び情報を示す、亦異なっている可能性があることが出来る、１つ挙例の中で、第二単元取るニュースを得て直ちに伝送することが出来る取って第一単元を転送そるそして表示する、存放、及び分���、尚、第二単元は一歩を進めてニュースをそのメモリの中にセーブする、そしてバックアップすることが出来る、無線式を送信する時に若し転送不整の備案する、別に挙例の中で、第二単元で獲得するニュースはメモリの中に先にセーブすることが出来る、そして測定最後の結論が第一単元までに伝送する又分析する及び表示するを遣る、何度挙例の中で、第二単元はニュースを第一単元に伝送する前、先に測定のアナリシスを執行すると叫んでいることが出来る、このような一来る、第一単元直接に受け取って、そして結果は表示するアナリシスのことが出来る、また何度挙例の中で、第二単元はさらに含めることが出来るたらコンポーネント５２を指示する、で同時直接に測定の相関情報をユーザに提供することが出来る、そしてもっと詳しい情報測定の後即ち第一単元のディスプレイ装置１８で表示部を行う、それゆえに、異なっているデザイン概念を変化することで出来る、制限されてない、無線の連結を通す、無駄ない有線連結をいらない、結果を測定する、例の、血圧及び心率、及び／あるいは心電図の形／波形も直ちにユーザに表示する、このインプリメンテーション例の中に［で］、無線が接続したほかの効能を使用すると明らかに示すことが出来るです、第二単元で単独使用して心電ずの測定を執行することが出来る、しかも上に二単元の実際的なサイズもう部品の分かち合いから、例えば、顕示單元を分かち合った、そして小さくなる、携帯の便利性の良いなる、それゆえに、この使用者がいかなる時間場所で心電図を測定することが出来た可能性を提供した。【００４５】  そうすると、本発明の中に［で］、とても重要のは、異なっているファンクションは分別起動されることが出来る、使用者があって部分的なデバイスを使用する必要がある時に、唯デバイスの中で要るフラクションを取って血圧或は心電図の測定を執行することが出来る、唯部分の機能を使う時に本体の全装置を取らなければならなくで部分の測定を進行するが出来る。【００４６】  特別なインプリメンテーション例の中で、挙例の図６の示しては、第一単元３０はテーブルの面上にで直接を施設する事が出来る、しかも縛るテープは中で載っている、第二単元は実施するにできると当の第一単元の無線コミュニケーションの手持ち式の心電図測定装置がなる時に、ここで、第一単元が執行した血圧測定を通すのが受けるのだべき第二単元のコントロール、しかも、血圧は測定するの結果は第二単元に伝送することが出来て第二単元が表面に位置する電極１６を利用することが出来るとすぐ明らかに示すそして心電図の測定を執行する、それゆえに、それからに血圧が測定するのはリモコン執行機器なる、唯このリモコンは心電図測定の機能は中に内蔵することがるある、特にです、特にです、の他に別々に測定の外を執行する、ユーザもできる直接にによってによって圧する当の第二単元の上のキーそして起動の血圧の測定及び心電計の測定、他に個別で測定を執行する以外に、ユーザもできるで直接によって第二単元の上のキーそを押すそして血圧の測定を起動する及び心電図の測定を起動の、このようなさらにプロシージャを操作することを易化することが出来る。【００４７】  特別なインプリメンテーション例の中で、例の���７の示す、さらに一外部の単元７０を提供するがあること、使用二個の単元３０、４０が操作を抑える、挙例を言う、外部の単元７０は使用するが第一及び第二単元を抑えることが出来る、使って選択してモードを操作する、使う選択するコンピューティング及び／あるいはアナリシスでの式を演算する、及び／あるいはユーザに使ってプロシージャを操作すると明らかに示す及び／あるいは結果、それに、外部の単元７０もなることが出来る包括余分のアルゴリズムすることが出来る、一歩を進める計算／分析を用いる、こので、理解いけるのは、第二単元から外部単元までのデータ伝送するのは測定期間に、あるいは測定後に進行する、制限しない、しかも、外部の単元７０とべき第一及び第二単元３０、４０の間のコミュニケーションできるしさらにも一つ同時操作することが出来る、お互いに参照して、そして雑信号を解除してさらに邪魔する操作を援助することが出来るし、その外部の単元は、限られない、、挙例を言うが、一の知恵型の携帯電話、一のＰＤＡ、一のラップトップ・コンピュータ、あるいは一のデスクトップのコンピューターは、使って操を作抑えるのインターフェイスを提供することが出来る及び、特に良いのは、全ての情報示すのディスプレイはでなるきる、ここで、けれども第７図引例は説明する例は外部の単元を第一単元及び／あるいは当の第二単元の間に無線のコミュニケーションを行う、しかし外部の単元も実施することが出来るにと第一単元及び／あるいは第二単元の間に有線の連結を行って、制限していない。【００４８】  よるこれは、実際に実施する時に、所述よって、第一単元及び第二単元は実際的な需要はそして異なっている種類をある変化をによって決まってことが出来る、制限されていない。【００４９】  それに、心電図を助けって接触式形態の測定するのため、（部分或は全ての）電極は、特に乾式電極、１つ感知器と接続することが出来る、探査する及び通知する  使用者を操作する時に電極の上接触は適切かどうか、挙例を言う、一の圧力探査部品と言うコンポーネントできるで電極の上に加えるの力を探査して、例えば、一の圧力感知器、或いは、一のタッチ感コンポーネントを使ってもう接触されたかどうかのを電極を測るのを感じることが出来る、例えば、キャパシタンスあるいは抵抗を測った変わりを通す、或いは、代わりを遣る、も簡単に利用することが出来る一のスイッチ感じて測って電極の上に加えるの力、これは、さらに実施することが出来るによってに、感測器あるいはスイッチ感を測って適当な接触力が測れた、あるいは電極の上にほかの物理のステータスの変わりを加える、例えば、一の初期設定に達する、時、心電図の測定は自動的に始めることが出来る、或いは、さえ実施することが出来るにデバイスできるそれゆえにそして起動される。【００５０】  尚、根拠本発明の心血管装の機能が亦拡充ポートを使うことが出来るそして獲取るの機能も拡大することが出来る、挙例お言う、一の血酸素測定器を接続する、そして心血管の健康相関の第三種類の信号を提供することが出来る、それゆえに、多種類の信号のお互いに参照する更に一歩を進めるの資料を獲得することが出来る、或いは、代わるの遣る、それも実施することが出来るは��もっとたくさんの電極を接続する、例えば、連結線を経由する、更に多いの使用者の心臓相関の情報を獲取ることが出来る、このファンクションのエクステンションは第一単元に実施することが出来る及び／あるいは第二単元は、使用者の選択をよって決まる。【００５１】  綜上述、根拠本発明が血圧測定及び心電図測定二種類の機能を載っているの心血管の測定装置です、習慣に知ると違う、その中の電気化回路及び結構式の施設は全て分散式の設計ですから、よって使用者向けに最も実際的な需要を接近するのモードを操作するの可能性及び便利性そして最大化機能及び操作の選択性を提供することが出来る、、他に、とって斬新的の分散式デザインする及び二個単元の間を連結使用するそしていろいろな操作のモードを提供することが出来る、製造原価を下げることに役立つだけではなく、そしてお互いに電子分品共用の所為から実際的なサイズも小さいなることが出来巣、更にいろいろな可依頼の生理信号の情報を提供することが出来る。【００５２】  上述の例及び開示は例示を意図しており、網羅を意図したものではない。これらの例及び説明は、当技術分野における通常の技術の一つに対し多くの変化や代替を提案するものである。これら代替及び変化はすべて本発明の特許請求の範囲内に含まれるものとする。当技術分野を熟知した人物が、ここで説明される特定の実施例の他の同等物に気付いた場合、それら同等物も本発明の特許請求の範囲によって包含されることが意図される。
【図面の簡単な説明】
【００５３】
【図１】  本発明に基づいた血圧測定及び心電図測定機能付きの心血管検測装置の電気回路図である。
【図２】  本発明に基づく最初の最良の実施例の心血管検測装置を示す概略図である。
【図３】  本発明に基づく第二の最良の実施例の心血管検測装置を示す概略図である。
【図４】  本発明に基づく第三の最良の実施例の心血管検測装置を示す概略図である。
【図５】  本発明に基づく第四の最良の実施例の心血管検測装置を示す概略図である。
【図６】  本発明に基づく第五の最良の実施例の心血管検測装置を示す概略図である。
【図７】  本発明に基づく第六の最良の実施例の心血管検測装置を示す概略図である。
【符号の説明】
【００５４】１０      電気回路
１０１    第一電気回路部分
１０２    第二電気回路部分
１２      カフ
１３      パンプ
１４      エアバルブ
１５      圧力変換器
１６      電極
１８      ディスプレイ装置
３０      第一ハウジング
４０      第二ハウジング
５０      起動ボタン
６０      電源キー
【図．１】
2014039800.tif 000003
【図．２】
2014039800.tif 000004
【図．３】
2014039800.tif 000005
【図．４】
2014039800.tif 000006
【図．５】
2014039800.tif 000007
【図．６】
2014039800.tif 000008
【図．７】
2014039800.tif 000009
【外国語明細書】
2014039800.tif 000010
2014039800.tif 000011
2014039800.tif 000012
2014039800.tif 000013
2014039800.tif 000014
2014039800.tif 000015
2014039800.tif 000016
2014039800.tif 000017
2014039800.tif 000018
2014039800.tif 000019
2014039800.tif 000020
2014039800.tif 000021
2014039800.tif 000022
2014039800.tif 000023
2014039800.tif 000024
2014039800.tif 000025
2014039800.tif 000026
2014039800.tif 000027
2014039800.tif 000028
2014039800.tif 000029